(57)【特許請求の範囲】
【請求項１】
第１貯水タンクに原水を供給するラインが接続する第１経路と第２貯水タンクに第１貯水タンクの水をポンプによって吸引送水するラインが接続する第２経路とを構成し、
前記第１経路のラインは第１カートリッジフィルタの出水口から第１貯水タンクの上端部に近い部位に設けた注水口に接続し、
前記第２経路のラインは第１貯水タンクの水取出口から前記ポンプへのラインを通って第２カートリッジフィルタに接続し、
前記第２カートリッジフィルタの出水口からカラムにラインで接続し、
前記カラムの出水口から分岐管の一方を第２貯水タンクにラインで接続し、
他方を開閉弁を介して給水槽にラインで接続し、
前記第１カートリッジフィルタはＰＥ焼結多孔質濾過材から成る二重筒の筒間内の中央部に永久磁石を，その周囲に活性炭を充填して成り、
前記第２カートリッジフィルタは活性炭を充填して成り、
前記カラムはその上下両端部に，小径のメッシュ板と大径のメッシュ板とを一対に両板間に弾機を介装して設け、これにより内部に充填したセラミックスを固定し、
前記第２経路はポンプ出口の近傍に分岐管を設け、この一方は前記第２カートリッジフィルタにラインで接続し、他方は前記第１貯水タンクの上方部に設けたエゼクタにラインで接続し、
前記第１経路において、第１カートリッジフィルタから第１貯水タンクに接続するラインの直前部に分岐管を設け、この分岐管には機能性物質を送る注入装置を設け、
前記エゼクタはマイナスイオン発生装置の出口部にホースで接続することによりマイナスイオン及びオゾン等を吸引噴出して水に混合し、
第１，第２の両貯水タンクの上方部には第２タンクの水位が上昇すると第１タンクに上昇水が流入する連通口を設けて成る浄水製造装置。
【発明の詳細な説明】
【０００１】
【発明の属する技術分野】
本発明は、浄水製造装置に関するものである。
【０００２】
【従来の技術】
近年、自然環境の悪化から、それに伴なう水質の汚染が問題になっている。例えば、水道用の取水口の河川・湖沼等の水質汚染の進行から、水道水そのものに添加する殺菌剤の量が増し、それによる臭気・味の悪化や、原水の処理工程で処理不可能な有機物がそれらと化学変化を起こし、トリハロメタン等の複合的な汚染物質の生成を見るまでになっている。最近では、クリストポリジウム等の病原性原虫の存在が問題視されてきている。このため、ボトル入りの天然水が売れている現状である。
【０００３】
水道水等に添加されている殺菌剤、即ち次亜塩素酸ソーダ、及び極微粒子のごみ等を除去してから飲料あるいは、料理に使用すれば、臭気・味の悪化の原因が取り除かれ、おいしい水となることは周知のとおりである。
【０００４】
この次亜塩素酸ソーダや微粒子のゴミ等を除去するために現在使用されているものは、微細孔とその吸着力によって除去効果を示す活性炭や超微細径を持つ中空糸膜濾過材等をコンパクトにまとめた据え置き型の水質浄化用濾過器や蛇口に直接取り付ける浄水器等である。
【０００５】
しかし、活性炭や中空糸膜濾過材は、残留塩素分や水中に含まれている微粒子状物質の除去に対して有効であっても、水質そのものを改質するとか、必須ミネラル等を供給することはない。逆に、残留塩素を除去したために、条件によっては雑菌が繁殖する原因となることが指摘されている。
【０００６】
最近では、逆浸透膜技術商品が市販されるようになり、これによれば次亜塩素酸ソーダをはじめ、超微粒子物質を除去するという水質の向上に寄与しているが、その水に存在する有用性のミネラル分までも除去してしまうことや濾過速度に制限があること、及びその大半の原水を捨てなければならないこと、更に高価であるとの欠点があり、一般的な飲用水としての使用範囲においては適正なものとはいい難い。
【０００７】
上記の事実関係から、次亜塩素酸ソーダやトリハロメタン、そして病原性原虫の問題を解決し、より良いしかも安全な品質の水を簡便な方法によって可能とする処理系の案出が待たれている。
【０００８】
【発明が解決しようとする課題】
そこで、本発明は、飲料水特に水道水において、殺菌用の残留塩素分が水質を低下させていることから、それら残留塩素分の除去をはじめ臭気除去を主とし、さらに水中の浮遊物・色相等外観的な性状の改善はもちろんのこと、水に一定領域の電磁波（遠赤外線）を与えると、一部波長を吸収したり、分子・原子レベルのエネルギーの授受によって、水の改質に寄与する等のことが近年解明されてきつつあることから、現状を総合的に解析し、本来の機能をもつ水を得ることを目的とした浄水製造装置、即ち、新しい観点から水に機能活性をもたせるための水処理系を検討し、その結果から得た水の製造装置を提供しようとするものである。
【０００９】
したがって、飲食用品製造用のみならず、野菜，果物，花卉等のハウス栽培用給水、および野菜の洗滌・蘇生を目的とした水の製造装置を提供するものである。
【００１０】
【課題を解決するための手段】
本発明は、第１貯水タンク１に原水を供給するライン３が接続する第１経路と第２貯水タンク２に第１貯水タンクの水をポンプ５によって吸引送水するライン４が接続する第２経路とを構成し、前記第１経路のライン３は第１カートリッジフィルタ６の出水口から第１貯水タンクの上端部に近い部位に設けた注水口１０に接続し、前記第２経路のライン４は第１貯水タンクの水取出口１１から前記ポンプへのライン１２を通って第２カートリッジフィルタ１３に接続し、前記第２カートリッジフィルタの出水口１４からカラム１５にライン１６で接続し、前記カラムの出水口１７から分岐管１８の一方を第２貯水タンク２にライン１９で接続し、他方を開閉弁５３を介して給水槽３１にライン２０で接続し、前記第１カートリッジフィルタはＰＥ焼結多孔質濾過材から成る二重筒の筒間内の中央部に永久磁石を，その周囲に活性炭を充填して成り、前記第２カートリッジフィルタは活性炭を充填して成り、前記カラムはその上下両端部に，小径のメッシュ板２１，２１と大径のメッシュ板２２，２２とを一対に両板間に弾機２３，２３を介装して設け、これにより内部に充填したセラミックスを固定し、前記第２経路はポンプ出口の近傍に分岐管２８を設け、この一方は前記第２カートリッジフィルタにライン４で接続し、他方は前記第１貯水タンクの上方部に設けたエゼクタ２９にライン３０で接続し、前記第１経路において、第１カートリッジフィルタから第１貯水タンクに接続するライン３の直前部に分岐管３２を設け、この分岐管には機能性物質を送る注入装置３３を設け、前記エゼクタはマイナスイオン発生装置３４の出口部にホースで接続することによりマイナスイオン及びオゾン等を吸引噴出して水に混合し、第１，第２の両貯水タンクの上方部には第２タンクの水位が上昇すると第１タンクに上昇水が流入する連通口４６を設けて成る装置である。
【００１１】
【発明の実施の形態】
本発明の浄水製造装置の処理系は、２個の貯水タンク１，２を設置し、第１の貯水タンク１には原水を供給するライン３が接続する第１経路、第２の貯水タンク２には第１の貯水タンク１の水を加圧循環ポンプ５で吸引送水するライン４が接続する第２経路を構成している。
【００１２】
第１経路は、第１カートリッジフィルタ６の受水口７に原水制御用の電磁弁８を設け、この第１カートリッジフィルタの出水口９からは第１貯水タンク１の上端部に近い部位に設けた注水口１０に接続するライン３を構成する。
【００１３】
第２経路は、前記第１貯水タンク１の底部にある水取出口１１と加圧循環ポンプ５の吸入口とをライン１２で接続し、このポンプ５の出口からは活性炭を充填した第２カートリッジフィルタ１３にライン４で接続し、この第２カートリッジフィルタの出水口１４からはセラミックスを充填したステンレスカラム１５にライン１６で接続し、このカラム１５の出水口１７からは、中間にＴ形分岐管１８の一方を介して第２貯水タンク２の底部にライン１９で接続し、このラインの途中には開閉弁５９を設ける。
【００１４】
前記分岐管１８の他方からは、ライン２０により後記給水槽３１に直接接続する。
【００１５】
前記第１カートリッジフィルタ６は、焼結多孔質濾過材から成る二重筒の筒間内の中央部に永久磁石を置き、その周囲には緻密に活性炭を充填して構成する。
【００１６】
前記カラム１５の内部構造は図３に示しているが、その上下両端部には、内径に合わせた僅かに小さい内径をもつメッシュ板２１，２１と、カラムの出入口の口径よりやや大きいメッシュ板２２，２２との大小一対のものを設け、この大小両メッシュ板間に伸張弾機２３，２３を介装固定し、この上下両部間にセラミックス２４を充填した後、フランジ２５，２５にパッキング２６，２６を介してフランジカバー２７，２７を取付けると、前記伸張弾機２３，２３によってメッシュ板２２，２２が加圧されるから、カラム内部に収容したセラミックス２４は固定されるようになる。
【００１７】
前記第２経路は、ポンプ５出口の近傍にＴ形の分岐管２８を設け、この分岐管の一方には前記第２カートリッジフィルタ１３を接続するライン４を構成し、分岐管２８の他方からは分岐して前記第１貯水タンク１の上端部位に設けたエゼクタ２９に接続するライン３０を構成する。
【００１８】
前記分岐管１８の他方からのライン２０は、開閉弁５３を介して給水槽３１に接続し、第２貯水タンク２を経由せずに、直接、ポンプ５からのライン給水を可能にする。
【００１９】
前記第１経路において、特定の機能性をもたせる目的で、第１カートリッジフィルタ６から第１貯水タンク１に入るライン３の直前部にＴ形の分岐管３２を設け、これに機能性物質を送り込む注入装置３３を連設すると、要求されるミネラル、カルシウム等の目的物質の注入添加が可能となる。この注入装置３３の稼働は、前記電磁弁８と連動させることによって、第１貯水タンク１内に注入する水量に対する注入量が算定可能となるように設定される。
【００２０】
原水としての水道水が通過する第１経路においては、第１カートリッジフィルタ６の焼結多孔質濾過面において微粒子の固形物を捕集し、続いて内部に充填されている活性炭で塩素酸や臭気等、その他の有害性物質を吸着除去して第１貯水タンク１に送られる。原水はこの時すでに水道水ではなくなり、一般的に市販されている活性炭充填型の浄水器を通過した水と同様なものとなっている。
【００２１】
また、原水は、第１カートリッジフィルタ６内部に装填されている永久磁石が発生する磁気の影響を受け、水の初期の活性化が行われて第１貯水タンク１に送られて溜まる。
【００２２】
第１貯水タンク１上の前記エゼクタ２９は、マイナスイオン発生装置３４の出口にホース３５を接続することにより、マイナスイオンおよび同時に発生するオゾン等を吸引する。これらの成分は、エゼクタ２９から噴出する水に混合・溶解して第１貯水タンク１に流入する。
【００２３】
前記マイナスイオン発生装置３４から出ている他方のホース５２は前記給水槽３１にマイナスイオンおよびオゾン等を送り出すためのもので、これによって給水槽を除菌し、常に清潔を保つようにしている。
【００２４】
この時に含有するオゾンは、強烈な酸化剤として有機物を酸化分解しかつ殺菌作用を行う。また、マイナスイオンが溶存酸素を活性化し、相乗的効果を起す。
【００２５】
もし原水の通過する第１カートリッジフィルタ６によって除去できなかった有害物質も、この第１貯水タンク１において分解する。万一、臭気や生成物が残ればバックアップ用の第２カートリッジフィルタ１３によって除去した後、カラム１５を経由し浄水として第２貯水タンク２に溜まる。
【００２６】
前記マイナスイオン発生装置３４の構造は、図４に示している。
【００２７】
３６は筒状電極（＋極）、３７は放電針（−極）、３８は高圧発生機，３９は変圧アダプタ，４０は電極固定台，４１はソケット，４２は取付螺子，４３はホースエンド，４４は放電部，４５はマイナスイオン・オゾン発生部である。
【００２８】
なお、第２貯水タンク２が満杯になると、タンク連結の連通口４６から第１貯水タンク１に水が流れ、再度、循環ポンプ５に吸引されるという循環水系を構成する。即ち、このポンプ５が稼働している限り、エゼクタ２９のノズル出口から水が噴射されるし、さらにはセラミックス充填のカラム１５を通過して水の清浄化,活性化が促進される。
【００２９】
第２経路における活性化は、第１貯水タンク水を加圧循環ポンプ５によって、第２カートリッジフィルタ１３を通ってカラム１５に送り、セラミックス間を循環させることが重要である。
【００３０】
同部に充填されているセラミックスは、水の改質に寄与する遠赤外線領域の電磁波（４〜１４μ程度）を、より多く放射するものがよい。セラミックスに水圧等刺激を加えて作る電磁波により自由電子を発生させ、その電子エネルギーによって水の改質が行われるが、セラミックスが放射する４〜１４μの遠赤外線を吸収した水は浸透性及び蒸散性を示し、特に本波長帯は「生物育成光線」と呼ばれ、水の活性化に密接に関係していることが知られている。
【００３１】
また、本装置においては、第１カートリッジフィルタ６を通過する時に人工的添加物が除去され、第１貯水タンク１に水が溜まると、ポンプ５によって吸引され、第２カートリッジフィルタ１３およびカラム１５に圧送されて第２貯水タンク２に戻すという循環水系を形成することは、雨水や雪解け水が長年月かけて地下の岩石の間隙を通過して湧水となって地表に現われる自然現象に共通する。
【００３２】
前記第１貯水タンク１には、貯水量によって自動的に作用する３つのスイッチを設置する。即ち、４７は上限停止用の水位設定のレベルスイイッチ、４８は下限停止用の水位設定のレベルスイッチ、４９は循環ポンプの空転防止用の自動停止スイッチである。
【００３３】
５０は機体に構成した貯水タンク１，２の収容室、５１は貯水タンク１，２の被蓋、５６は機体の扉板である。
【００３４】
５３は前記カラム１５からライン２０を経て、直接、給水槽３１に流入する開閉弁で、この開閉弁は前記ライン１９上の開閉弁５９と連動し、開閉弁５９を閉止すると自動的に開くようになる。５４は前記第２貯水タンク２から給水槽３１に流入する開閉弁で、この開閉弁は手動式である。
【００３５】
５５は配電盤である。
【００３６】
そこで、本装置の運転方法について説明する。
【００３７】
いま電磁弁８を「開」にすると、原水は第１カートリッジフィルタ６を通過して第１経路ラインを通って第１貯水タンク１に流入して溜まるが、水位が上限停止用の設定レベルに達すると、レベルスイッチ４７が作動して原水のタンク１内への流入は停止する。
【００３８】
循環ポンプ５を稼働すると、第１貯水タンク１の水は第２経路ラインを通って、第２カートリッジフィルタ１３およびカラム１５を経由して第２貯水タンク２に流入する。
【００３９】
この時、分岐管２８で分岐したライン３０に流入した水は、エゼクタ２９からマイナスイオン発生装置３４によって生成された気体を吸引して第１貯水タンク１に噴出される。
【００４０】
第１貯水タンク１内の水が送出され、水位が下限開放用の設定レベルに低下すると、レベルスイッチ４８が働き、再度、電磁弁８が「開」となり、第１貯水タンク１に水が流入し溜まるようになる。
【００４１】
両タンク内の水を放出しない限りは、いずれ両タンクは満杯となり、電磁弁８は閉じたままの状態で水のみが、両タンク間の連通口４６を流れ、第１貯水タンク１−循環ポンプ５−第２カートリッジフィルタ１３−カラム１５−第２貯水タンク２間を循環する。
【００４２】
なお、貯水タンク１において、水漏れ等にて予期しない水位の降下が発生し水位が自動停止スイッチ４９の位置に来た時、停止機能が自動的に働き、循環ポンプ５が停止して空転を防止する。
【００４３】
開閉弁５３を「開」にすると、ポンプ５から送出される水が、分岐管１８の一方、即ちライン２０から、第２貯水タンクを経由せずして給水が可能となる。
【００４４】
なお、開閉弁５４を「開」にしたときも、自動的に循環ポンプ５が稼働するよう電気回路を設定することにより、常に一定レベルの水頭を保って水を供給できるから、時間制御による給水量の定量化も可能となる。
【００４５】
また、給水槽３１に、マイナスイオン発生装置３４からのホース３５を接続し、その送気流体によって給水槽３１の内部はもちろん、その周辺にもマイナスイオン及びオゾン気流の殺菌機能により浮遊雑菌の繁殖を制御することが可能となる。
【００４６】
その他、第１貯水タンク１の最上段部にはオーバーフロー口５７を、両貯水タンクの底面部には排水弁５８を設ける。
【００４７】
ステンレスカラム１５に充填するセラミックスは、人工生産あるいは天然物にかかわらず、含有成分とその割合が、SiO275％〜85％，AL2O35％〜15％，Fｅ2O３0．5％〜2.0％，Tio20.2％〜1.0％，K2O2.0％〜4.0％，及びCａO，MｇO，Nａ2O，Pｔ等を含有して構成されている。
【００４８】
天然セラミックスをカラム１５に充填するには、採石した岩石を破砕機により細石とし、研摩して角部分を落とし丸みを付けたものとし、その大きさを大略5mm〜10mmφ程度にしたものを用いる。角部分を落とさないと、角部分が水圧やそれ自体の接触研摩によってできる削り屑が、水中に分散して白濁するからである。
【００４９】
人工的にセラミックスを焼結製造する場合は、まず天然セラミックスを粉砕機により粉末とする。次に、この粉末に焼成製品、即ち焼き上がり品に一定の強度・微細孔の確保・遠赤外線放射能力等に劣化を示さないようにするために吟味した粘土を選定し混合する。
【００５０】
続いて、完成時の焼結セラミックスのサイズを決め、焼結時の収縮を計算に入れてボールを作成する。
【００５１】
セラミックスの活性機能が水を活性化する理論としては、例えば、酸化チタンにある種の波長(紫外線領域)を照射すると、そこから電子(e-)が放出し、その電子は溶存酸素と結合して活性酸素(O２−)を作り、水自体の劣化(腐敗)防止、即ち不純物として水に含有している有機物を酸化分解することによって、劣化物質を除去してしまうという活性作用が認知されていると同様に、ある種のセラミックスは、そこに圧力・温度・光(ある種の波長)、即ち一つのエネルギーを与えると、そこから電子(e-)を放出して活性作用を示すことが支持されている。
【００５２】
また、上記とは別に、次亜塩素酸を除去したことによる新たな殺菌対策を組み入れるために、ここにエゼクタを応用してマイナスイオン発生装置から発生する気体を吸引し、水中に混合・溶解する機構を構成する。
【００５３】
ここに使用したマイナスイオン発生装置３４は、チタン合金を正極とし、一定の間隔を置いてその正極に向け、針状棒を固定し負極とし、その間に7KV前後の高電圧（電流：300mA程度）を発生可能な高圧ユニットを組み込んだ電気回路を構成したものである。通電することによって、その極間にコロナ放電が発生し、マイナスイオンが大量に発生すると同時にオゾンの発生も起る。
【００５４】
本機構から発生するマイナスイオンによる生物活性効果が、近年注目を集めていることと、光触媒機能にみられる電子(e-)の授受の関連性や、長い実績のあるオゾン効果，即ち，強力な酸化機能は，水中の殺菌、汚染有機成分の分解・除去に寄与する。もし、装置系内に雑菌等の有害物質が混入したとしても、本機構においてダメ押しの処理が可能となる。
【００５５】
また、オゾンは時間の経過とともに酸素に変化するため、循環水中には溶存酸素のリッチな水質となる。したがって、これが生物活性効果の一因であることはいうまでもない。
【００５６】
ここに用いたマイナスイオン発生装置は、正極チタン合金を円筒形にし、円芯に負極針状棒をのぞかせているので、機構上２〜３m/secの風力が発生しているため、たとえエゼクタが停止している場合でも、間隙から貯水タンク内に送風され内部の殺菌に寄与している。また、マイナスイオン発生装置からの、もう一方のラインは、給水槽に送風され、蛇口をはじめ周囲の雑菌の繁殖防止や消毒を兼ねた清潔機構を構成している。
【００５７】
上記の通りに構成されているため、例えば、水道水ラインを第１経路の電磁弁８に接続し、電磁弁を開き通水した場合、水道水中のカルキ(次亜塩素酸)部分は、第１カートリッジフィルタ６の内部に装填した活性炭によって除去される。これにより、カルキの存在による水の臭気が無くなり、加えて味が良くなる。
【００５８】
なお、接続が可能な注入装置を利用し、ミネラルや栄養液もまた添加できるので、目的に合わせた水質を得ることが可能となる。
【００５９】
さらに、第１経路で改質された水は、タンクに溜められた後、循環ポンプ５の運転によってカラム１５を通過して第２貯水タンク２に圧送され、ポンプの運転を継続すると水は第１貯水タンク１に送られ、循環ポンプ５−第１カートリッジ・フィルタ１３−カラム１５−貯水タンク２という水循環を継続するため、セラミックス効果により水は構成分子の運動が活発になり、本処理をしない原水と比較して水に含まれていた不純物を分解除去して清澄水となる。
【００６０】
また、第２経路の第１タンク１への戻りラインの端末に取付けたエグゼタ２９から吸引されるマイナスイオン+オゾンは、オゾンの酸化力等、その特性によって、例えばトリハロメタン等の有害性有機物の分解や殺菌が可能となる。このようにして製造された水は、全体的に浸透性・洗浄力・蒸散力を増し、さらに還元性を示す。このことは、水質的には活性的であり、長期保存の可能な水となることを意味する。
【００６１】
【実施例】
実施例１：本浄水製造装置を４０ｌ／minの処理能力を有するように設計・組立てし、まず水道水を装置の入口にライン接続して第１経路を構成する。そこに、水の処理能力の範囲内において水道水を供給し、第１貯水タンク１にタンク容量の１００ｌを貯水した。続いて、その貯水を循環ポンプ５で吸引してカラム１５内を通過させ、第２貯水タンク２に戻す第２経路を用いて循環処理を行なった。
【００６２】
その水を３０分経過時点で採取し、酸化還元電位を測定したところ、処理前の水道水は＋５７０mv程度であったが、装置処理水は＋２５０mvを割る値を示し、原水よりはるかに還元側にあった。
【００６３】
また、オルトトリジン試薬を用いた残留塩素測定においても、発色は見られず残留塩素は測定されなかった。
【００６４】
さらに、容器に満たした水面はキラキラ輝き、わずかな振動でも水紋が発生し、甘味のするおいしい水となった。
【００６５】
また、本処理装置循環生成水及び原水を同量づつ別々のグラスに入れて開放のまま放置しておくと、処理水の蒸散速度が非常に早くなり、数日間で明らかに水面の位置に差が認められた。
【００６６】
実施例２：市販の草花の種（エノコロ草）を、水道水と本装置にて改質した水を用い、種の浸漬から散水や土壌側を同一条件とし、発芽〜生育過程を比較した。発芽率・生育状態すべてにおいて、後者の水を使用したものが優れていた。
【００６７】
実施例３：本装置によって製造した水を別容器に取り、水をポンプで循環させながら、その容器中にホウレン草、及び春菊をそれぞれ５〜１０分程度入れてから取り出すと、水道原水にて同様な処理を行ったものと比較して、はるかに鮮度が蘇り、蘇生効果のあることが判明した。
【００６８】
【発明の効果】
このように、処理対象水を本浄水製造装置のセラミックスカラムを通過させるとき、セラミックスから放射される４〜１４μの育生光線といわれる周辺の
波長エネルギー振動が水に吸収され、あるいは水の分子運動を活発にする等の作用から、水分子のクラスターの改善につながり、水の改質がもたらされるものと考えられる。
【００６９】
また、本装置における第１経路の作用は、水道水に含まれる人工的に付加した殺菌作用の次亜塩素酸ソーダの余剰分を消去することであり、これは飲用した場合の体内消化系作用物質、例えば体内消化酵素までも殺除してしまうという問題を解決し、かつ酸化還元電位値で２５０mv以下のものが得られるという効果を生んだ。
【００７０】
さらに、マイナスイオン発生装置から発生する気体を水中に吸気混合装置で混合・溶解することから、長い実績のあるオゾン効果が、水中の汚染物質の分解・除去に役立つこと、また電子(e-)の授受の関連性が、マイナスイオンによる生物活性効果を期待でき、これはカラム内で弾機によって加圧されているセラミックスに、ポンプからの圧力水が衝突することによって、放射される電磁波の関連から発生するマイナスイオンと相乗的効果を示すと推測される。
【００７１】
この事実は、雷雨や積雪等に関与する水が地表から浸透し、幾重もの地層によって濾過され、電磁放射エネルギーをもつ岩盤の間隙を通過し、再度、地表に湧き水となって蘇る天然のミネラル水の生成過程に類似するものといえる。
【図面の簡単な説明】
【図１】   本装置の機構説明図
【図２】   本装置の内部を示した斜視図
【図３】   要部の内部構造図
【図４】   要部の側断面図
【符号の説明】
１                第１貯水タンク
２                第２貯水タンク
３                第１経路のライン
４                第２経路のライン
５                加圧循環ポンプ
６                第１カートリッジフィルタ
７                受水口
８                電磁弁
９                出水口
１０                注水口
１１                水取出口
１２                ライン
１３                第２カートリッジフィルタ
１４                出水口
１５                ステンレスカラム
１６                ライン
１７                出水口
１８                分岐管
１９                ライン
２０                ライン
２１，２１          メッシュ板
２２，２２          メッシュ板
２３，２３          伸張弾機
２４                セラミックス
２５，２５          フランジ
２６，２６          パッキング
２７，２７          フランジカバー
２８                分岐管
２９                エゼクタ
３０                ライン
３１                給水槽
３２                分岐管
３３                注水装置
３４                マイナスイオン発生装置
３５                ホース
３６                筒状電極
３７                放電針
３８                高圧発生機
３９                変圧アダプタ
４０                電極固定台
４１                ソケット
４２                取付螺子
４３                ホースエンド
４４                放電部
４５                マイナスイオン・オゾン発生部
４６                タンク連通口
４７                上限レベルスイッチ
４８                下限レベルスイッチ
４９                自動停止スイッチ
５０                収容室
５１                被蓋
５２                ライン
５３                開閉弁
５４                開閉弁
５５                配電盤
５６                扉板
５７                オーバーフロー口
５８                排水コック
【図１】
0004226800.tif 000002
【図２】
0004226800.tif 000003
【図３】
0004226800.tif 000004
【図４】
0004226800.tif 000005